(57)【特許請求の範囲】
【請求項１】
枢支部を中心として揺動する調量レバーの揺動操作により調量弁を開閉動作させるようにした散布機において、前記枢支部及び該枢支部と前記調量レバーの長手方向へ離隔した位置で前記調量レバーの揺動方向に配置されたラックを有するレバー受体を備え、前記調量レバーは、内部に回転軸を回転自在に支持してある軸支部と、前記回転軸と一体に回転し、且つ前記調量弁の開度を表示する表示体と、該表示体を回転自在に内装し、且つ前記軸支部の自由端に設けてあるグリップ部とを有し、前記ラックに噛合するピニオンを前記回転軸に設けてあることを特徴とする散布機の調量表示装置。
【請求項２】
枢支部を中心として揺動する調量レバーの揺動操作により調量弁を開閉動作させるようにした散布機において、前記枢支部及び該枢支部と同軸芯上に第１はす歯を有するレバー受体を備え、前記調量レバーは、内部に回転軸を回転自在に支持してある軸支部と、前記回転軸と一体に回転し、且つ前記調量弁の開度を表示する表示体と、該表示体を回転自在に内装し、且つ前記軸支部の自由端に設けてあるグリップ部とを有し、前記第１はす歯に噛合する第２はす歯を前記回転軸に設けてあることを特徴とする散布機の調量表示装置。
【発明の詳細な説明】
【０００１】
【発明の属する技術分野】
本発明は薬剤・肥料等の散布剤を圃場等に散布する散布機の調量表示装置に関する。
【０００２】
【従来の技術】
従来、枢支部を中心として揺動する調量レバーの操作で調量弁を開閉動作させるようにした散布機において、一般に、背負式散布機における調量レバーは、その枢支部に対し外方に大きく突出させて、作業者が散布機を背負った作業姿勢で調量レバーの自由端側グリップ部を把持して揺動操作できるようにしている。また、調量レバーを支持する支持部をもつ静止側部材には、調量弁の開度を段階的に設定して表示する表示部を設けている。
【０００３】
【発明が解決しようとする課題】
ところが、この従来のものにおいて、調量弁の開度を表示する表示部は、調量レバーのグリップ部と反対側の枢支部近傍位置に配設されているため、特に、散布機を背負っている作業姿勢で調量レバーを揺動させて弁開度を調節する場合、前記表示部が見え難くて、所望の弁開度に調節し難いだけでなく、表示部に表示された弁開度を正確に見るには、散布機を背負っている作業姿勢が大きく崩れて散布剤がこぼれたりする不具合があった。
【０００４】
本発明は、散布機を背負って散布作業を行う場合においても、作業姿勢を良好に保った状態で所望の弁開度に適確に調節することができる調量表示装置を提供することを主たる目的とする。
【０００５】
【課題を解決するための手段】
本発明は、上記目的を達成するために、請求項１記載の発明は、枢支部を中心として揺動する調量レバーの揺動操作により調量弁を開閉動作させるようにした散布機において、前記枢支部及び該枢支部と前記調量レバーの長手方向へ離隔した位置で前記調量レバーの揺動方向に配置されたラックを有するレバー受体を備え、前記調量レバーは、内部に回転軸を回転自在に支持してある軸支部と、前記回転軸と一体に回転し、且つ前記調量弁の開度を表示する表示体と、該表示体を回転自在に内装し、且つ前記軸支部の自由端に設けてあるグリップ部とを有し、前記ラックに噛合するピニオンを前記回転軸に設けてあることを特徴とする。
この発明では、調量レバーのグリップ部を把持し、調量レバーの揺動操作で調量弁の開度を調節するとき、この調量レバーの揺動に連動して回転軸が回転し、該回転軸の回転でグリップ部の表示体に弁開度を表示できるから、散布機を背負っている作業姿勢で調量レバーを揺動させて弁開度を調節する場合でも、調量レバーの表示体を容易に見ることができ、作業姿勢を良好に保った状態で所望の弁開度に適確に、また、迅速に調節することができる。
【０００７】
請求項２記載の発明は、枢支部を中心として揺動する調量レバーの揺動操作により調量弁を開閉動作させるようにした散布機において、前記枢支部及び該枢支部と同軸芯上に第１はす歯を有するレバー受体を備え、前記調量レバーは、内部に回転軸を回転自在に支持してある軸支部と、前記回転軸と一体に回転し、且つ前記調量弁の開度を表示する表示体と、該表示体を回転自在に内装し、且つ前記軸支部の自由端に設けてあるグリップ部とを有し、前記第１はす歯に噛合する第２はす歯を前記回転軸に設けてあることを特徴とする。
この発明では、調量レバーのグリップ部を把持し、調量レバーの揺動操作で調量弁の開度を調節するとき、この調量レバーの揺動に連動して回転軸が回転し、該回転軸の回転でグリップ部の表示体に弁開度を表示できるから、請求項１と同様、散布機を背負っている作業姿勢で調量レバーを揺動させて弁開度を調節する場合でも、弁開度をより一層容易に見ることができ、所望の弁開度に迅速に調節することができながら、調量レバーにはす歯を設ける構造であるから、コンパクトにできるのである。
【０００８】
【発明の実施の形態】
図６〜図８に示した散布機は、作業者が背中に背負う背負部１ａをもつ背負枠１の背面側に、エンジン２を装備し且つ上部に横長状の散布剤受入口３１をもつ送風装置３を取付け、この送風装置３の上方に、上部に散布剤投入口４１をもち且つ底部を横長状に形成した散布剤タンク４を着脱可能に装着した背負式散布機である。
【０００９】
この散布機の散布剤タンク４は、上部の投入口４１側から底部に向かって絞り込まれた略漏斗状で、底面を開放したタンク本体４Ａと、該タンク本体４Ａの底部に、下方側から着脱可能に挿嵌支持する角形リング状の弁箱４Ｂとから成り、これらタンク本体４Ａと弁箱４Ｂとの左右両側を、逆Ｕ字形のボルト４２とナット４３とで着脱可能に結合すると共に、前記弁箱４Ｂのタンク本体４Ａから下方への突出部内側に、散布剤タンク４内の散布剤を調量して前記受入口３１に供給する調量弁５を、横方向の弁軸５１を介して開閉自在に設けている。
【００１０】
送風装置３は、前記エンジン２により駆動されるファン３Ａと、該ファン３Ａを内蔵したファンケース３Ｂとから成り、このファンケース３Ｂ内に、ファン３Ａの回りに沿って延びる送風通路３２と、この送風通路３２の出口近くから前記散布剤受入口３１に連通する散布剤供給路３３とを備え、送風通路３２の出口にエルボ管１０を介して噴管を着脱可能に接続するようにしている。
【００１１】
また、ファンケース３Ｂの下部一側に、レバー受体１１を取付け、このレバー受体１１に、横軸から成る枢支部１２を中心として上下方向に揺動可能な調量レバー６と、該調量レバー６を案内するレバーガイド７とを装着し、調量レバー６の反グリップ部側端部と前記弁軸５１の端部に突設した杆受体５２とを、ロッドから成る連結部材１３で連結し、調量レバー６の上下方向の揺動操作で調量弁５を開閉動作させるようにしている。
【００１２】
第１実施形態では、図１ないし図５に示すように、一端側に前記枢支部１２に嵌合する軸孔６１ａをもつ軸支部６１と、該軸支部６１の自由端に設ける中空のグリップ部６２と、軸支部６１の内部に回転可能に支持する回転軸６３と、この回転軸６３の一端に連結され、周面に調量弁５の開度を表示した表示体６４とを備え、この表示体６４を前記グリップ部６２内の収容室６２ａに回転自在に内装した調量レバー６を形成する一方、前記レバーガイド７に、調量レバー６の揺動方向に沿って延びるラック８を設け、さらに前記回転軸６３に、前記ラック８に噛合するピニオン６５を設け、グリップ部６２を把持して調量レバー６を揺動させると、ピニオン６５を介して回転軸６３が回転し、この回転軸６３と一体に表示体６４が回転するように成すと共に、前記グリップ部６２に、収容室６２ａに開口し且つ表示体６４における表示の一つを露出させる表示窓６６を設け、この表示窓６６から調量弁５の開度を見ることができるようにしている。尚、表示窓６６は、外部に開放したものである他、透明性を有する蓋を装着したものでもよい。
【００１３】
前記レバーガイド７は、前記枢支部１２とともにレバー受体１１と一体に形成されるのであって、調量レバー６の揺動方向に沿って前記枢支部１２を中心とする略四半円形を呈し、調量レバー６との対向内面で、水平に近い下端部に、調量レバー６を水平に近い状態に停止させるストッパ７１を設けると共に、このストッパ７１から上方の所定角内で調量レバー６の揺動角を設定する複数個の位置決め凹部７２と、前記ラック８と、前記枢支部１２の自由端部に枢着する上限規制体１５と係合して調量レバー６の揺動上限を段階的に設定する複数個の規制凹部７３とを設けると共に、前記調量レバー６に、前記位置決め凹部７２の一つに選択的に係合する弾性変位可能な位置決め体６７を設けている。
【００１４】
以上の第１実施形態において、調量レバー６は背負部１ａに対し前方に突出しているため、背負い状態で散布作業を行うとき、調量レバー６のグリップ部６２を把持して揺動操作することにより、調量弁５の開度を任意に調節できるのであり、このとき、調量レバー６におけるピニオン６５を介して回転軸６３が表示体６４とともに回転し、調量レバー６の揺動角に対する弁開度がグリップ部６２の表示窓６２ａに表示される。従って、散布機を背負っている作業姿勢で弁開度を調節する場合でも、調量レバー６のグリップ部６２に設けた表示体６４を見ることにより、所望の弁開度に適確に調節することができるのである。
【００１５】
さらに第１実施形態では、調量レバー６を、前記軸孔６１ａ及びピニオン６５と前記回転軸６３の軸方向に延びるガイド孔６８とをもち前記枢支部１２に揺動可能に支持される角筒状の基レバー体６Ａと、前記グリップ部６２及び表示体６４をもち基レバー体６Ａの外側にスライド可能に支持される先レバー体６Ｂとで形成し、この先レバー体６Ｂを背負部１ａに対し図６のように前方に突出させて、作業者が背負った状態で自由端側グリップ部６２を把持して水平に近い状態から上方に向かって揺動可能にする一方、前記回転軸６３を、前記ピニオン６５をもつ基側軸部６３ａと前記表示体６４に連結される先側軸部６３ｂとに分割して、これら軸部６３ａ，６３ｂの分割側を相対回転不能で且つスライド可能に嵌合して、前記先側レバー体６Ｂのスライドを許容できるようにしている。
【００１６】
基レバー体６Ａには、枢支部１２に対し一方側の両側部に、長さ方向に延びるガイド孔６８を設け、他方側内部に一対の軸支片６９，６９を設けて、これら軸支片６９，６９間に、前記基側軸部６３ａを回転自在に支持すると共に、この他方側上面部に、前記位置決め体６７を設けている。
【００１７】
また、先レバー体６Ｂには、前記枢支部１２を受入れる長孔６０を設けて、基レバー体６Ａに対しスライド自在にすると共に、長孔６０に対しグリップ部６２側端部に前記先側軸部６３ｂを回転自在に支持し、さらに長孔６０に対しグリップ部６２と反対側端部に、前記枢支部１２の軸心と並行で前記ガイド孔６８に突入する連結ピン１６を回動自在に保持し、この連結ピン１６の一端部に、前記連結部材１３の下端部を枢支ピン１７を介して相対回転可能に連結し、先レバー体６Ｂの基レバー体６Ａに対するスライド時、前記連結ピン１６がガイド孔６８に沿って移動して、連結部材１３の先レバー体６Ｂへの連結点と、基レバー体６Ａの枢支点との間の長さＨを変更できるようにしている。
【００１８】
前記上限規制体１５は、前記枢支部１２の自由端部に枢着するアーム部１５ａと、該アーム部１５ａの自由端から屈曲する筒部１５ｂとにより略Ｌ字形に形成され、筒部１５ｂ内に、コイルバネ１５ｄにより筒部１５ｂから突出方向に付勢された係止ピン１５ｃを保持し、該係止ピン１５ｃを、その一端に形成された摘みを持って進退動作させるようにしている。
【００１９】
以上の構成において、調量レバー６における先レバー体６Ｂのグリップ部６２を把持して揺動操作することにより、該先レバー体６Ｂと基レバー体６Ａとが一体の状態で揺動し、調量弁５の開度を任意に調節できるのであり、このとき、位置決め体６７が位置決め凹部７２の一つと選択的に係合して、調量レバー６の操作位置、ひいては調量弁５の弁開度を維持できる。
【００２０】
また、背負い状態で把持している先レバー体６Ｂを基レバー体６Ａに対し作業者の前後にスライド操作することにより、連結部材１３の先レバー体６Ｂとの連結点と基レバー体６Ａの枢支点との間の長さＨを変更でき、調量レバー６の揺動角に対する調量弁５の開度を変更できるのである。従って、背負い状態で散布作業を行うときにおいても、調量レバー６を把持した状態で調量レバー６に対する弁開度を容易に、かつ正確に変更できるのである。
【００２１】
第２実施形態では、図９及び図１０に示すように、横軸からなる前記枢支部１２の外周部、換言すると枢支部１２と同軸心上となるように枢支軸１２の外周部に第１はす歯１８を相対回転不能に設ける一方、第１実施形態と同様、一端側に前記枢支部１２に嵌合する軸孔６１ａをもつ軸支部６１と、該軸支部６１の自由端に設ける中空のグリップ部６２と、軸支部６１の内部に回転可能に支持する回転軸６３と、この回転軸６３の一端に連結され、周面に調量弁５の開度を表示した表示体６４とを備え、この表示体６４を前記グリップ部６２内の収容室６２ａに回転自在に内装した調量レバー６を形成して、前記回転軸６３の反表示体側端部に、前記第１はす歯１８に噛合する第２はす歯１９を固定し、グリップ部６２を把持して調量レバー６を揺動させると、第２はす歯１９を介して回転軸６３が回転し、さらにこの回転軸６３と一体に表示体６４が回転するように成すと共に、前記グリップ部６２に、収容室６２ａに開口し且つ表示体６４における表示の一つを露出させる表示窓６６を設け、この表示窓６６から調量弁５の開度を見ることができるようにしている。尚、表示窓６６は、外部に開放したものである他、透明性を有する蓋を装着したものでもよい。
【００２２】
この第２実施形態においても、第１実施形態と同様、調量レバー６は背負部１ａに対し前方に突出しているため、背負い状態で散布作業を行うとき、調量レバー６のグリップ部６２を把持して揺動操作することにより、調量弁５の開度を任意に調節できるのであり、このとき、調量レバー６における第２はす歯１９を介して回転軸６３が表示体６４とともに回転し、調量レバー６の揺動角に対する弁開度がグリップ部６２の表示窓６６に表示される。従って、散布機を背負っている作業姿勢で弁開度を調節する場合でも、調量レバー６のグリップ部６２に設けた表示体６４を見ることにより、所望の弁開度に適確に調節することができるのである。
【００２３】
尚、以上の実施形態では、調量レバー６のグリップ部６２に表示体６４を設けたが、その他この表示体６４は、調量レバー６におけるグリップ部６２の近傍位置に設けてもよい。
【００２４】
【発明の効果】
請求項１記載の発明によれば、調量レバーのグリップ部を把持し、調量レバーの揺動操作で調量弁の開度を調節するとき、この調量レバーの揺動に連動して回転軸が回転し、該回転軸の回転でグリップ部の表示体に弁開度を表示できるから、散布機を背負っている作業姿勢で調量レバーを揺動させて弁開度を調節する場合でも、調量レバーの表示体を容易に見ることができ、作業姿勢を良好に保った状態で所望の弁開度に適確に、また、迅速に調節することができる。
【００２６】
請求項２記載の発明によれば、調量レバーのグリップ部を把持し、調量レバーの揺動操作で調量弁の開度を調節するとき、この調量レバーの揺動に連動して回転軸が回転し、該回転軸の回転でグリップ部の表示体に弁開度を表示できるから、請求項１と同様、散布機を背負っている作業姿勢で調量レバーを揺動させて弁開度を調節する場合でも、弁開度をより一層容易に見ることができ、所望の弁開度に迅速に調節することができながら、調量レバーにはす歯を設ける構造であるから、コンパクトにできるのである。
【図面の簡単な説明】
【図１】本発明調量表示装置の縦断正面図である。
【図２】同調量表示装置の横断平面図である。
【図３】同上限規制体部分での断面図である。
【図４】図１に対応した作動状態の説明図である。
【図５】同図２に対応した作動状態の説明図である。
【図６】同調量表示装置を装備した散布機の一部を断面した側面図である。
【図７】同調量表示装置を装備した背負式散布機の一部を断面した正面図である。
【図８】同調量表示装置を装備した散布機の散布剤タンク・エンジンを省略した平面図である。
【図９】調量表示装置の第２実施形態を示す図１に対応した断面図である。
【図１０】同図９の横断平面図である。
【符号の説明】
１２  枢支部
５    調量弁
６    調量レバー
６２  グリップ部
６３  回転軸
６４  表示体
６５  ピニオン
８    ラック
【図１】
0004021965.tif 000002
【図２】
0004021965.tif 000003
【図３】
0004021965.tif 000004
【図４】
0004021965.tif 000005
【図５】
0004021965.tif 000006
【図６】
0004021965.tif 000007
【図７】
0004021965.tif 000008
【図８】
0004021965.tif 000009
【図９】
0004021965.tif 000010
【図１０】
0004021965.tif 000011